(57)【特許請求の範囲】
【請求項１】
複数の受信部を備え、選局された受信周波数の放送波を前記複数の受信部のうちの一部の受信部で受信し、前記複数の受信部のうちの他の受信部で周波数帯域ごとに受信可能な代替局の放送波の有無を調べる代替局サーチを行い、前記受信周波数を含む周波数帯域の代替局を提示する放送受信装置であって、
前記一部の受信部で前記受信周波数の放送波を受信しているときに、放送波の受信電界強度が所定の時間範囲内で所定の変動条件を満たしたと判定した場合に、前記受信周波数を含む周波数帯域で代替局サーチを行うように前記他の受信部を制御する制御部を備えた放送受信装置。
【請求項２】
位置情報を取得する位置情報取得部と、
代替局サーチを行った地点を履歴情報として記憶する記憶部とを備え、
前記制御部は、前記位置情報から自装置が前記履歴情報の地点を含むエリア内にあると判定した場合、放送波の受信電界強度の変動を判定せず、前記受信周波数を含む周波数帯域で代替局サーチを行うように前記他の受信部を制御することを特徴とする請求項１記載の放送受信装置。
【請求項３】
前記制御部は、複数回の代替局サーチの結果を比較して放送波の受信電界強度が所定の時間範囲内で所定の変動条件を満たしたか否かを判定することを特徴とする請求項１記載の放送受信装置。
【請求項４】
前記制御部は、前記受信周波数の放送波の受信電界強度と、受信放送波が受けた隣接妨害レベルまたは受信信号の復調結果とに基づいて、放送波の受信電界強度が所定の時間範囲内で所定の変動条件を満たし、前記放送波の受信状況が悪化したと判定した場合に、前記受信周波数を含む周波数帯域で代替局サーチを行うように前記他の受信部を制御することを特徴とする請求項１記載の放送受信装置。
【請求項５】
複数の受信部を備え、選局された受信周波数の放送波を前記複数の受信部のうちの一部の受信部で受信し、前記複数の受信部のうちの他の受信部で周波数帯域ごとに受信可能な代替局の放送波の有無を調べる代替局サーチを行い、前記受信周波数を含む周波数帯域の代替局を提示する放送受信装置の代替局サーチ方法であって、
制御部が、前記一部の受信部が前記受信周波数の放送波を受信しているときに放送波の受信電界強度が所定の時間範囲内で所定の変動条件を満たしたか否かを判定するステップと、
前記制御部が、放送波の受信電界強度が所定の時間範囲内で所定の変動条件を満たしたと判定した場合に、前記受信周波数を含む周波数帯域で代替局サーチを行うように前記他の受信部を制御するステップとを備えた代替局サーチ方法。
【発明の詳細な説明】
【技術分野】
【０００１】
この発明は、車両などの移動体に搭載されて放送を受信する放送受信装置および代替局サーチ方法に関する。
【背景技術】
【０００２】
従来の放送受信装置では、例えば、ラジオ放送の場合、代替局となる受信可能な放送局および交通情報を常に取得して更新するため、ＦＭ、ＡＭ、ＳＷ（短波）、ＬＷ（長波）の各周波数帯域を順にサーチしている。このサーチ結果は周波数帯域ごとの代替局リストとして記憶装置に記憶され、利用者には、現在放送を受信中の周波数帯域における代替局リストが提示される。これにより、現在受信中の放送の受信状態が劣化した場合、代替局リストから、受信可能な代替局を選局することができる。
【０００３】
例えば、特許文献１には、放送波を受信する第１の受信手段と、第１の受信手段で放送を受信中に、受信可能周波数帯域の代替局の放送波を受信する第２の受信手段とを備える受信機が開示されている。この受信機では、第１の受信手段で現在受信中の放送波の受信状態を維持しながら、第２の受信手段によって受信可能周波数帯域に含まれる代替局からの放送波の受信状態を調べることができる。
【先行技術文献】
【特許文献】
【０００４】
【特許文献１】特開２００１−１５６６６２号公報
【発明の概要】
【発明が解決しようとする課題】
【０００５】
特許文献１に代表される従来の技術では、現在受信中の放送の受信電界強度が急変した場合に、放送を受信中の周波数帯域の受信状態が劣化して、利用者に提示している代替局リストの代替局も受信できなくなる可能性がある。この場合、放送を受信していた周波数帯域で代替局をサーチして、代替局リストを更新する必要がある。
【０００６】
しかしながら、現在受信中の放送の受信電界強度が急変したときに、その周波数帯域の代替局をサーチしているとは限らず、各周波数帯域の代替局サーチが順番に行われる。
このため、所望の周波数帯域の代替局がサーチされて代替局リストが更新されるまでに長時間を要する可能性があるという課題があった。
【０００７】
また、他の周波数帯域の代替局サーチが行われていた場合、所望の周波数帯域の代替局サーチを指示する操作が必要となり、煩わしさが発生する。
さらに、トンネルなどの特定の場所だけで放送される放送内容を受信していると、受信中の放送の受信状態に劣化はないが、代替局リストの周波数帯域における受信状態は劣化している可能性がある。この場合、利用者に対して実際には受信できない代替局リストを提示することになる。
【０００８】
この発明は、上記のような課題を解決するためになされたもので、選局された受信周波数を含む周波数帯域において受信可能な代替局を的確に提示することができる放送受信装置および代替局サーチ方法を得ることを目的とする。
【課題を解決するための手段】
【０００９】
この発明に係る放送受信装置は、複数の受信部を備え、選局された受信周波数の放送波を複数の受信部のうちの一部の受信部で受信し、複数の受信部のうちの他の受信部で周波数帯域ごとに受信可能な代替局の放送波の有無を調べる代替局サーチを行い、受信周波数を含む周波数帯域の代替局を提示する放送受信装置であって、一部の受信部で受信周波数の放送波を受信しているときに放送波の受信電界強度が所定の範囲以上に変動したと判定した場合に、受信周波数を含む周波数帯域で代替局サーチを行うように他の受信部を制御する制御部を備える。
【発明の効果】
【００１０】
この発明によれば、選局された受信周波数を含む周波数帯域において受信可能な代替局を的確に提示することができるという効果がある。
【図面の簡単な説明】
【００１１】
【図１】この発明の実施の形態１に係る放送受信装置の構成を示すブロック図である。
【図２】実施の形態１に係る放送受信装置の動作を示すフローチャートである。
【図３】選局受信周波数および代替局の周波数を表示した画面例を示す図である。
【図４】実施の形態１に係る放送受信装置の別の構成を示すブロック図である。
【図５】この発明の実施の形態２に係る放送受信装置の構成を示すブロック図である。
【図６】実施の形態２に係る放送受信装置の動作（履歴情報記憶）を示すフローチャートである。
【図７】実施の形態２に係る放送受信装置の動作（代替局リスト更新）を示すフローチャートである。
【図８】この発明の実施の形態３に係る放送受信装置の動作を示すフローチャートである。
【図９】この発明の実施の形態４に係る放送受信装置の構成を示すブロック図である。
【発明を実施するための形態】
【００１２】
実施の形態１．
図１は、この発明の実施の形態１に係る放送受信装置の構成を示すブロック図である。図１において、放送受信装置１は、移動体（例えば、車両）に持ち込みまたは搭載され、ＦＭ、ＡＭ、ＳＷ（短波）、ＬＷ（長波）の各周波数帯域の放送波を受信可能な広帯域の放送受信装置である。その構成として、アンテナ２ａ，２ｂ、第１の受信部２−１、第２の受信部２−２、第３の受信部２−３、ＰＤ（フェーズダイバーシティ）制御部３、復調部４ａ，４ｂ、シグナルメータ５ａ，５ｂ、ＲＤＳ（ラジオデータシステム）復調部６ａ，６ｂ、制御部７、アンプ部８、スピーカ９、表示部１０、操作部１１および記憶部１２を備える。
【００１３】
また、第１の受信部２−１は、フロントエンド部２０ａ、ＢＰＦ（バンドパスフィルタ）２１ａ、ＩＦ（中間周波数）フィルタ２２ａおよびＩＦ増幅器２３ａを備える。
第２の受信部２−２は、フロントエンド部２０ｂ、ＢＰＦ２１ｂ、ＩＦフィルタ２２ｂおよびＩＦ増幅器２３ｂを備える。
第３の受信部２−３は、フロントエンド部２０ｃ、ＢＰＦ２１ｃ、ＩＦフィルタ２２ｃおよびＩＦ増幅器２３ｃを備える。
【００１４】
フロントエンド部２０ａ，２０ｂ，２０ｃは、制御部７から周波数設定信号を入力し、アンテナ２ａ，２ｂを介して受信されたＲＦ（高周波数）信号から周波数設定信号が示す受信周波数を選択して増幅した後にＩＦ信号に周波数変換する。
なお、図１に示す放送受信装置１では、フロントエンド部２０ａ，２０ｂは、利用者に選局された受信周波数の放送波を受信し、フロントエンド部２０ｃは、代替局サーチ対象の周波数の放送波を受信する。
【００１５】
ＢＰＦ２１ａ，２１ｂ，２１ｃは、フロントエンド部２０ａ，２０ｂ，２０ｃによって周波数変換されたＩＦ信号を帯域制限する帯域通過フィルタである。
ＩＦフィルタ２２ａ，２２ｂ，２２ｃは、ＢＰＦ２１ａ，２１ｂ，２１ｃを通過したＩＦ信号を変調信号として期待される所定の帯域に制限する帯域通過フィルタである。
ＩＦ増幅器２３ａ，２３ｂ，２３ｃは、ＩＦフィルタ２２ａ，２２ｂ，２２ｃを通過したＩＦ信号を増幅する増幅器である。
【００１６】
ＰＤ制御部３は、第１の受信部２−１および第２の受信部２−２からの出力を位相合成処理する制御部である。すなわち、放送受信装置１は、第１の受信部２−１および第２の受信部２−２を用いたフェーズダイバーシティ機能を有しており、受信部２−１，２−２では、利用者に選局された受信周波数の放送波のみを受信している。
【００１７】
復調部４ａは、ＰＤ制御部３により位相合成された受信信号を復調する復調部である。また、復調部４ｂは、ＩＦ増幅器２３ｃにより増幅されたＩＦ信号を復調する。
なお、復調部４ａが復調した音声信号は、アンプ部８により増幅されてスピーカ９から出力される。
【００１８】
シグナルメータ５ａは、ＰＤ制御部３によって位相合成された受信信号の受信電界強度を測定するシグナルメータである。
また、シグナルメータ５ｂは、第３の受信部２−３のＩＦ増幅器２３ｃから出力された受信信号の受信電界強度を測定する。
【００１９】
ＲＤＳ復調部６ａは、復調部４ａの出力復調信号中のＲＤＳデータを復調、同期処理、誤り訂正処理を行うＲＤＳ復調器である。
また、ＲＤＳ復調部６ｂは、復調部４ｂの出力復調信号中のＲＤＳデータを復調、同期処理、誤り訂正処理を行うＲＤＳ復調器である。
【００２０】
制御部７は、マイクロコンピュータおよび演算処理に必要なデータを記憶したメモリを内蔵して放送受信装置１全体の制御を行う制御部である。
また、制御部７は、特に、第１の受信部２−１および第２の受信部２−２で受信周波数の放送波を受信しているときに、放送波の受信電界強度が所定の時間範囲内で所定の変動条件を満たしたと判定した場合に、受信周波数を含む周波数帯域で代替局サーチを行うよう第３の受信部２−３を制御する。なお、所定の時間範囲および変動条件は後述する。
【００２１】
表示部１０は、制御部７から入力した表示情報を表示する表示部であり、例えば、液晶ディスプレイ、有機ＥＬ（Ｅｌｅｃｔｒｏ−Ｌｕｍｉｎｅｓｃｅｎｃｅ）パネルなどから構成される。また、表示部１０は、制御部７の制御により、操作部１１を用いて操作情報（利用者が選択した受信周波数）を入力するためのＵＩ（Ｕｓｅｒ  Ｉｎｔｅｒｆａｃｅ）を提供する。利用者により選局された受信周波数および受信周波数を含む周波数帯域の代替局の周波数は、表示部１０に表示される。
【００２２】
操作部１１は、利用者の操作入力を受け付ける操作部であって、例えば、表示部１０の画面上に設けられたタッチパネル、ハードウェアキー、音声認識を利用する入力手段などにより実現される。
記憶部１２は、第３の受信部２−３による代替局サーチの結果（代替局リスト）を記憶する記憶部である。
【００２３】
一般に、各周波数帯域のサーチ時間は、ＦＭで約１５秒、ＡＭ、ＳＷ、ＬＷでそれぞれ３０秒程度である。従来の放送受信装置では、例えば、ＦＭ放送を受信中に受信電界強度が急に変化し、ＦＭの周波数帯域で利用者に提示している代替局リストのいずれかの放送が受信できなくなり、このときに第３の受信部２−３でＡＭの周波数帯域の代替局サーチをしていた場合、ＦＭの周波数帯域が代替局サーチされ、代替局リストが更新されるまでに各周波数帯域のサーチ時間を合わせた時間分待たなければならない。このように受信できなくなった代替局が長時間提示されたままとなるという不具合があった。
【００２４】
そこで、この発明では、制御部７が、受信部２−１，２−２で受信周波数の放送波を受信しているときに放送波の受信電界強度が急に変化した場合に、受信周波数を含む周波数帯域で代替局サーチを行うよう第３の受信部２−３を制御する。このようにすることで、利用者に選局された受信周波数を含む周波数帯域において受信可能な代替局を的確に提示することができる。
【００２５】
次に動作について説明する。
図２は、実施の形態１に係る放送受信装置の動作を示すフローチャートであり、この図に沿って代替局サーチとその結果に応じて代替局リストを更新する処理について述べる。
まず、第３の受信部２−３は、受信部２−１，２−２の受信周波数帯域によらず、放送受信装置１で受信可能な周波数帯域ごとに所定順に代替局サーチを行う（ステップＳＴ１）。なお、放送受信装置１は、ＦＭ、ＡＭ、ＳＷ（短波）、ＬＷ（長波）の各周波数帯域の放送波を受信可能な広帯域の放送受信装置であり、第３の受信部２−３が、ＦＭ、ＡＭ、ＳＷ、ＬＷの順で各周波数における受信状態のよい（受信可能な）代替局の放送波の有無を調べる。
【００２６】
制御部７は、シグナルメータ５ａが検出した受信電界強度を定期的に取得し、この受信電界強度に基づいて、受信部２−１，２−２で受信している放送波の受信電界強度が急変したか否かを判定する（ステップＳＴ２）。
ここで、受信電界強度の急変は、放送波の受信電界強度が所定の時間範囲内で所定の変動条件を満たしたか否かで判定される。例えば、時刻がｔ０、ｔ１、ｔ２（ｍｓ）の順で進み、時刻ｔの放送波の受信電界強度がＬｖ（ｔ）（ｄＢｕＶ）であり、受信電界強度の急変を示す変動量をＬｅｖ＿Ｘ、受信不可能な受信電界強度の上限を示す閾値をＬｅｖ＿Ｙとする。この場合、下記式（１）の全ての変動条件を満たしたときに受信電界強度が急変したと判定する。
｜Ｌｖ（ｔ１）−Ｌｖ（ｔ０）｜≧Ｌｅｖ＿Ｘ
｜Ｌｖ（ｔ２）−Ｌｖ（ｔ０）｜≧Ｌｅｖ＿Ｘ
Ｌｖ（ｔ０）≦Ｌｅｖ＿Ｙ                      ・・・（１）
【００２７】
ただし、上記式（１）において、ｔ２−ｔ０が示す時間間隔は、各周波数帯域の代替局サーチ時間のうち、最も短いサーチ時間以下の時間であることが好ましい。例えば、ＦＭの代替局サーチの時間が１５秒である場合、ｔ２−ｔ０は１５秒以下の時間とする。
このようにすることで、いずれかの周波数帯域の代替局サーチが終了することを待たずに、現在受信中の放送の周波数を含む周波数帯域の代替局サーチに直ちに切り替えることができる。
【００２８】
受信電界強度が急変していないと判定した場合（ステップＳＴ２；ＮＯ）、ステップＳＴ１に戻り、上述した処理を繰り返す。
一方、受信電界強度が急変したと判定した場合（ステップＳＴ２；ＹＥＳ）、制御部７は、第３の受信部２−３が受信部２−１，２−２で現在放送を受信している周波数帯域で代替局サーチを行っているかどうかを確認する（ステップＳＴ３）。例えば、受信部２−１，２−２でＦＭ放送を受信している場合は、第３の受信部２−３でＦＭの周波数帯域で代替局サーチを行っているかが確認される。
【００２９】
受信部２−１，２−２で現在放送を受信している周波数帯域で代替局サーチが行われていない場合（ステップＳＴ３；ＮＯ）、制御部７は、第３の受信部２−３に対して代替局サーチを停止するよう指示する（ステップＳＴ４）。この後、制御部７は、第３の受信部２−３に対し、受信部２−１，２−２で現在放送を受信している周波数帯域に切り替えて代替局サーチを行うよう指示する。これにより、第３の受信部２−３は、受信部２−１，２−２で現在放送を受信している周波数帯域の代替局サーチを行う（ステップＳＴ５）。
【００３０】
受信部２−１，２−２で現在放送を受信している周波数帯域で代替局サーチが行われていた場合（ステップＳＴ３；ＹＥＳ）、もしくは、ステップＳＴ５における代替局サーチが完了すると、制御部７は、第３の受信部２−３による代替局サーチの結果を取得する。
次に、制御部７は、第３の受信部２−３の代替局サーチ結果に基づいて、代替局リスト（受信部２−１，２−２で現在放送を受信している周波数帯域における代替局リスト）を更新する（ステップＳＴ６）。
なお、現在受信している周波数帯域で行われていた代替局サーチの結果を取得する場合を示したが、現在受信している周波数帯域で代替局サーチが行われていたとしても、その結果を一度キャンセルし、新たにサーチを行ってその結果を取得するようにしてもよい。
【００３１】
受信部２−１，２−２でＦＭ放送を受信している場合、表示部１０の表示画面１０ａには、例えば、図３（ａ）に示すように、現在放送を受信している受信周波数１０ｂが表示され、ＦＭの周波数帯域の代替局リスト１０ｃが表示されている。ここで、受信電界強度が急変し、周波数８２．５ＭＨｚの受信が不可となり、このときに第３の受信部２−３がＡＭの周波数帯域で代替局サーチを行っていると、従来では、上述したように、ＦＭの周波数帯域の代替局リスト１０ｃの更新を他の周波数帯域のサーチがそれぞれ完了するまで待たなければならなかった。このため、代替局リストが更新される前に、利用者が代替局リストに表示されている、例えば周波数７８．０ＭＨｚを選局（図中に矢印で示す）しても放送の受信ができないために他に受信可能な局を選局し直す操作が必要となる可能性がある。
【００３２】
これに対して、この発明では、受信電界強度の急変が検出されると、受信部２−１，２−２で現在放送を受信している周波数帯域の代替局サーチに直ちに切り替える。
このようにすることで、他の周波数帯域の代替局サーチの完了を待つことなく、利用者が選局した受信周波数を含む周波数帯域における代替局を的確に提示することができる。
また、図３の表示画面はあくまでも一例であり、プルダウンなどにより全代替局を表示してもよい。
【００３３】
なお、図１では、利用者によって選局された周波数の放送を、受信部２−１，２−２でフェーズダイバーシティ受信する場合を示したが、これに限定されるものではない。
例えば、図４に示すように、利用者が選局した周波数の放送を第１の受信部２−１のみで受信する放送受信装置１Ａであってもよい。この場合、ＰＤ制御部３は省略され、制御部７Ａが、シグナルメータ５ａにより検出された受信電界強度を定期的に取得し、この受信電界強度に基づいて、第１の受信部２−１で受信している放送波の受信電界強度が急変したか否かを判定することになる。
【００３４】
以上のように、この実施の形態１によれば、第１および第２の受信部２−１，２−２で受信周波数の放送波を受信しているときに放送波の受信電界強度が所定の範囲以上に変動したと判定した場合、受信周波数を含む周波数帯域で代替局サーチを行うように第３の受信部２−３を制御する制御部７を備える。
このように構成することで、利用者に選局された受信周波数を含む周波数帯域において受信可能な代替局を的確に提示することができる。
【００３５】
実施の形態２．
図５は、この発明の実施の形態２に係る放送受信装置の構成を示すブロック図である。実施の形態２に係る放送受信装置１Ｂは、図５に示すように、実施の形態１で図１を用いて示した構成に、ＧＰＳ（Ｇｌｏｂａｌ  Ｐｏｓｉｔｉｏｎｉｎｇ  Ｓｙｓｔｅｍ）アンテナ１３ａおよびＧＰＳ受信部１３が追加され、制御部７の代わりに制御部７Ｂ、記憶部１２の代わりに記憶部１２Ａを備える。
また、放送受信装置１Ｂは、実施の形態１と同様に、移動体（例えば、車両）に持ち込みまたは搭載され、ＦＭ、ＡＭ、ＳＷ、ＬＷの各周波数帯域の放送波を受信可能な広帯域の放送受信装置である。
【００３６】
制御部７Ｂは、受信部２−１，２−２で受信周波数の放送波を受信しているときに位置情報から放送受信装置１Ｂが履歴情報の地点を含むエリアにあると判定した場合に、放送波の受信電界強度の変動を判定せず、受信周波数を含む周波数帯域で代替局サーチを行うよう第３の受信部２−３を制御する。
記憶部１２Ａは、過去に代替局サーチを行った地点を履歴情報として記憶する記憶部である。例えば、過去に代替局サーチを行った地点（緯度経度）およびこの地点を含む所定範囲のエリアを履歴情報とする。
【００３７】
ＧＰＳ受信部１３は、放送受信装置１Ｂの位置情報を取得する位置情報取得部である。
例えば、ＧＰＳアンテナ１３ａを介してＧＰＳ衛星から受信したＧＰＳ電波を解析して放送受信装置１Ｂの位置情報を取得する。また、放送受信装置１Ｂが車載されている場合は、ＧＰＳ以外に、ジャイロの出力、車速センサの車速パルスを用いて位置情報を取得してもよい。
【００３８】
次に動作について説明する。
図６は、実施の形態２に係る放送受信装置の動作を示すフローチャートであり、この図に沿って履歴情報を記憶する処理を述べる。なお、図６における、ステップＳＴ１ａからステップＳＴ６ａまでの処理は、図２に示したステップＳＴ１からステップＳＴ６までと同様であるので説明を省略する。
【００３９】
制御部７Ｂは、代替局リストを更新すると、ＧＰＳ受信部１３によって取得された位置情報に基づいて、代替局サーチを行った地点（緯度経度）およびこの地点を含む所定範囲のエリアを履歴情報として記憶部１２Ａに記憶する（ステップＳＴ７ａ）。
エリアを規定する所定範囲は、受信電界強度を変動させた受信環境（トンネル、屋内駐車場など）が含まれる範囲であることが好ましく、例えば、代替局サーチを行った地点を中心とした数百メートルの範囲を設定する。
【００４０】
図７は、実施の形態２に係る放送受信装置の動作を示すフローチャートであり、この図に沿って履歴情報を用いた代替局リストの更新処理を述べる。
まず、制御部７Ｂは、ＧＰＳ受信部１３により取得された位置情報を所定の周期で入力して、現在位置が記憶部１２Ａの履歴情報のエリア内であるか否かを確認する（ステップＳＴ１ｂ）。なお、位置情報を入力する所定の周期、すなわち、上記確認を行う周期は、各周波数帯域の代替局サーチ時間のうち、最も短いサーチ時間以下の時間間隔であることが好ましい。これにより、いずれかの周波数帯域の代替局サーチが終了することを待たずに、現在受信中の放送の周波数を含む周波数帯域の代替局サーチに直ちに切り替えることができる。
【００４１】
現在位置が履歴情報のエリア内でない場合（ステップＳＴ１ｂ；ＮＯ）、制御部７Ｂは、ステップＳＴ１ｂの処理を繰り返す。ただし、このとき、制御部７Ｂは、シグナルメータ５ａが検出した受信電界強度を定期的に取得し、この受信電界強度に基づいて、受信部２−１，２−２で受信している放送波の受信電界強度が急変したか否かを判定する。
これにより、受信電界強度が急変していないと判定されると、ステップＳＴ１ｂの処理を行う。また、受信電界強度が急変したと判定した場合は、実施の形態１と同様な処理（図２のステップＳＴ３以降の処理）を行う。
【００４２】
現在位置が履歴情報のエリア内であると判定した場合（ステップＳＴ１ｂ；ＹＥＳ）、制御部７Ｂは、受信電界強度が急変する受信環境のエリア（トンネル、屋内駐車場など）を移動していると判断して、放送波の受信電界強度の変動を判定することなく、第３の受信部２−３に対して、受信部２−１，２−２で現在放送を受信している周波数帯域に切り替えて代替局サーチを行うよう指示する。これにより、第３の受信部２−３は、受信部２−１，２−２で現在放送を受信している周波数帯域の代替局サーチを行う（ステップＳＴ２ｂ）。
【００４３】
次に、制御部７Ｂは、第３の受信部２−３による代替局サーチの結果に基づいて、代替局リスト（受信部２−１，２−２で現在放送を受信している周波数帯域の代替局リスト）を更新する（ステップＳＴ３ｂ）。このようにすることで、過去に受信電界強度が急変した場所については、放送波の受信電界強度の変動を判定することなく、現在受信している放送の受信周波数を含む代替局サーチが直ちに行われる。これにより、利用者が選局した受信周波数を含む周波数帯域において受信可能な代替局を的確に提示することができる。
【００４４】
なお、代替局サーチを行った地点（緯度経度）およびこの地点を含む所定範囲のエリアに加え、代替局サーチで得られた代替局リストも履歴情報として記憶部１２に記憶してもよい。この場合、現在位置が履歴情報のエリア内であり、履歴情報の代替局リストが現在受信中の放送の周波数帯域における代替局リストであれば、このリストで代替局リストを更新する。
【００４５】
以上のように、この実施の形態２によれば、位置情報を取得するＧＰＳ受信部１３と、代替局サーチを行った地点を履歴情報として記憶する記憶部１２Ａとを備え、制御部７Ｂが、受信部２−１，２−２で受信周波数の放送波を受信しているときに位置情報から放送受信装置１Ｂが履歴情報の地点を含むエリア内にあると判定した場合、放送波の受信電界強度の変動を判定せず、受信周波数を含む周波数帯域で代替局サーチを行うように第３の受信部２−３を制御する。このようにすることで、利用者に選局された受信周波数を含む周波数帯域において受信可能な代替局を的確に提示することができる。
【００４６】
実施の形態３．
実施の形態３に係る放送受信装置は、実施の形態１と基本的な構成（図１または図２）は同一であるが、第３の受信部２−３の受信状況から受信電界強度の変動を判定する点で異なる。そこで、実施の形態３においては、装置の構成については図１を参照するものとし、実施の形態３に特有な受信電界強度の判定方法を以下に説明する。
【００４７】
図８は、実施の形態３に係る放送受信装置の動作を示すフローチャートであり、この図に沿って代替局サーチとその結果に応じて代替局リストを更新する処理について述べる。
ただし、ステップＳＴ１ｃからステップＳＴ６ｃまでの処理は、図２のステップＳＴ１からステップＳＴ６までと同様の処理であるので説明を省略する。
【００４８】
実施の形態３では、受信電界強度が急変していないと判定した場合（ステップＳＴ２ｃ；ＮＯ）、制御部７が、第３の受信部２−３による前回の代替局サーチの結果と今回とを比較し、その結果から受信電界強度が急変したか否かを判定する（ステップＳＴ７ｃ）。
例えば、トンネルなどの特定のエリアでは、トンネル内部でＡＭの交通情報などが放送されており、これと同じ放送がトンネル外部でも受信可能である。
従って、自装置１を搭載する車両がトンネル内に進入しても、受信部２−１，２−２でトンネル外部から交通情報を受信している場合、この交通情報は、トンネル内部でも放送されており受信電界強度（シグナルメータ５ａの検出値）は低下しない。このため、ＡＭの周波数帯域における他の放送（代替局）の受信電界強度が急変（急低下）していても、受信部２−１，２−２の受信状態では、これを検出することができない。
【００４９】
そこで、実施の形態３では、下記式（２）に従って第３の受信部２−３の受信状況から受信電界強度の変動を判定する。ただし、Ｌｉｓｔは代替局リスト内の代替局数であり、Ｐ（ｘ）は、前回の代替局リストにおいて受信可能な受信電界強度の第１の閾値ｘ（ｄＢｕＶ）以上であった代替局の数である。
また、ＰＣ（ｘ，ｙ）は、今回の代替局リストにおいて、前回は第１の閾値ｘ（ｄＢｕＶ）以上であったが、今回は第２の閾値ｙ（ｄＢｕＶ）以下になった代替局の数である。
なお、ｘ＞ｙであるものとする。
さらに、指定局数は、代替局リストとして提示すべき代替局の数であり、指定局数割合は、例えば、前回と今回で許容すべき代替局の減少率に相当する。
Ｌｉｓｔ≧指定局数、かつ、ＰＣ（ｘ，ｙ）／Ｐ（ｘ）≧指定局数割合  ・・・（２）
【００５０】
制御部７は、受信部２−１，２−２の受信状況から受信電界強度が急変していないと判定すると、直ちに、シグナルメータ５ｂにより検出された代替局の放送波の受信電界強度に基づいて、上記式（２）の関係に従い、代替局サーチの結果を前回と今回で比較する。ここで、前回は、直近の２回のサーチのうちの古い方であり、今回は、新しい方である。
また、この比較は、受信部２−１，２−２が受信している放送の周波数帯域によらず、既に今回のサーチが終了している周波数帯域の代替局リストを用いる。
例えば、受信部２−１，２−２でＡＭの交通情報を受信しているときに、第３の受信部２−３では、ＦＭの直近の２回の代替局サーチが完了している場合、直近の２回のＦＭの代替局リストを用いて上記比較を行う。
このようにすることで、受信部２−１，２−２がトンネル内で放送される交通情報（ＡＭ）を受信している場合であっても、第３の受信部２−３の受信状況から受信電界強度の変動を判定することが可能となる。
【００５１】
第３の受信部２−３の受信状況から受信電界強度が急変していないと判定した場合（ステップＳＴ７ｃ；ＮＯ）、ステップＳＴ１ｃの処理に戻る。
一方、第３の受信部２−３の受信状況から受信電界強度が急変したと判定した場合（ステップＳＴ７ｃ；ＹＥＳ）、ステップＳＴ３ｃの処理に移行し、実施の形態１と同様に代替局サーチおよびこの結果を用いた代替局リストの更新を行う。
【００５２】
以上のように、この実施の形態３によれば、制御部７が、複数回の代替局サーチの結果を比較して放送波の受信電界強度が所定の時間範囲内で所定の変動条件を満たしたか否かを判定する。このようにすることで、受信部２−１，２−２が特定のエリアで放送される情報を受信している場合であっても、第３の受信部２−３の受信状況から受信電界強度の変動を判定することが可能となる。これにより、利用者が選局した受信周波数を含む周波数帯域において受信可能な代替局を的確に提示することができる。
【００５３】
実施の形態４．
図９は、この発明の実施の形態４に係る放送受信装置の構成を示すブロック図である。実施の形態４に係る放送受信装置１Ｃは、図９に示すように、実施の形態１で図１を用いて示した構成にＵＳＮ検出部１４が追加され、制御部７の代わりに制御部７Ｃを備える。
制御部７Ｃは、利用者が選局した受信周波数の放送波の受信電界強度と、受信放送波が受けた隣接妨害レベルまたは受信信号の復調結果とに基づいて、放送波の受信電界強度が所定の時間範囲内で所定の変動条件を満たしたか否かを判定する。ＵＳＮ検出部１４は、受信放送波が受けた隣接妨害レベルを検出する検出部である。
以下、利用者が選局した受信周波数の放送波の受信電界強度と受信放送波が受けた隣接妨害レベルとに基づく判定の詳細について説明する。
【００５４】
制御部７Ｃは、シグナルメータ５ａが検出した受信電界強度およびＵＳＮ検出部１４が検出した隣接妨害レベルを定期的に取得し、これらの値に基づいて、受信部２−１，２−２で受信している放送波の受信状態の良否を判定する。
ここで、受信電界強度の急変は、放送波の受信電界強度が所定の時間範囲内で所定の変動条件を満たしたか否かで判定される。
例えば、時刻ｔの放送波の受信電界強度がＬｖ（ｔ）（ｄＢｕＶ）であり、受信不可能な受信電界強度の上限を示す閾値をＬｅｖ＿Ｙとし、時刻ｔの受信放送波が受けた隣接妨害レベルがＵＳＮ（ｔ）（％）であり、許容可能な隣接妨害レベルの上限を示す閾値をＵＳＮ＿Ｘ、許容不可な隣接妨害レベルの下限を示す閾値をＵＳＮ＿Ｙとする。
Ｌｖ（ｎ）は、シグナルメータ５ａにより検出された過去ｎ回の受信電界強度の平均値であり、ＵＳＮ（ｎ）は、ＵＳＮ検出部１４により検出された過去ｎ回の隣接妨害レベルの平均値である。この場合、上記式（１）の全ての変動条件を満たすか、もしくは、下記式（３）の全ての変動条件を満たしたときに、受信状態が悪化したと判定する。
Ｌｖ（ｔ１）≦Ｌｅｖ＿Ｙ
ＵＳＮ（ｔ１）≦ＵＳＮ＿Ｘ
Ｌｖ（ｎ）≧Ｌｅｖ＿Ｙ
ＵＳＮ（ｎ）≧ＵＳＮ＿Ｙ      ・・・（３）
【００５５】
ただし、上記式（３）において、ｎ回の検出を行う時間間隔は、各周波数帯域の代替局サーチ時間のうち、最も短いサーチ時間以下の時間であることが好ましい。例えば、ＦＭの代替局サーチの時間が１５秒である場合、ｎ回の検出を行う時間間隔は１５秒以下の時間とする。このようにすることで、いずれかの周波数帯域の代替局サーチが終了することを待たず、現在受信中の放送の周波数を含む周波数帯域の代替局サーチに直ちに切り替えることができる。
【００５６】
また、ＲＤＳ復調部６ａによるＲＤＳデータの誤り検出結果を用いて、受信電界強度の急変を判定してもよい。例えば、上記式（３）におけるＵＳＮ（ｔ１）、ＵＳＮ（ｎ）を時刻ｔ１における誤り率、ｎ回の検出における誤り率の平均値に置き換えて、それぞれの閾値と比較することにより判定を行う。
【００５７】
以上のように、この実施の形態４によれば、制御部７Ｃが、利用者が選局した受信周波数の放送波の受信電界強度と、受信放送波が受けた隣接妨害レベルまたは受信信号の復調結果とに基づいて、放送波の受信電界強度が所定の時間範囲内で所定の変動条件を満たし、放送波の受信状況が悪化したと判定した場合に、受信周波数を含む周波数帯域で代替局サーチを行うように第３の受信部２−３を制御する。このようにすることでも、利用者が選局した受信周波数を含む周波数帯域において受信可能な代替局を的確に提示することができる。
【００５８】
なお、上記実施の形態１〜４は、車両がトンネルに進入した場合を示したが、この発明は、電波が遮断される地下駐車場に車両が進入した場合にも適用することが可能である。
また、上記実施の形態１〜４では、過度に電界急変を検出して、サーチを繰り返すことで、他の機能への影響が懸念される。例えば、交通情報が見る暇がなくなるような場合が考えられる。この場合は、時間的な制約を追加してサーチを繰り返すことを規制してもよい。例えば、一度サーチした後は、所定の時間（１分間など）は電界急変の検出を行わないことなどが挙げられる。
【００５９】
また、ラジオ放送を受信する場合を例に挙げて説明したが、各国のデジタル放送やＴＶ、衛星放送などを受信する放送受信装置において、放送の受信電界強度が急変したときに利用者が所望する放送波の代替局を最優先でサーチさせることができる。
【００６０】
さらに、ラジオ放送においても、ＦＭ、ＭＷ、ＳＷ、ＬＷの全てをサーチ対象とせず、必要な帯域のみに絞ることも可能である。
【００６１】
実施の形態２〜４では、受信部２−１，２−２でフェーズダイバーシティ受信する場合を示したが、図４に示すように、利用者が選局した周波数の放送を第１の受信部２−１のみで受信する放送受信装置であってもよい。
【００６２】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６３】
１，１Ａ〜１Ｃ  放送受信装置、２ａ，２ｂ  アンテナ、２−１  第１の受信部、２−２  第２の受信部、２−３  第３の受信部、３  ＰＤ制御部、４ａ，４ｂ  復調部、５ａ，５ｂ  シグナルメータ、６ａ，６ｂ  ＲＤＳ復調部、７，７Ａ〜７Ｃ  制御部、８  アンプ部、９  スピーカ、１０  表示部、１０ａ  表示画面、１０ｂ  受信周波数、１０ｃ  代替局リスト、１１  操作部、１２，１２Ａ  記憶部、１３  ＧＰＳ受信部、１３ａ  ＧＰＳアンテナ、１４  ＵＳＮ検出部。
【図１】
0006021763.tif 000002
【図２】
0006021763.tif 000003
【図３】
0006021763.tif 000004
【図４】
0006021763.tif 000005
【図５】
0006021763.tif 000006
【図６】
0006021763.tif 000007
【図７】
0006021763.tif 000008
【図８】
0006021763.tif 000009
【図９】
0006021763.tif 000010